(57)【要約】【課題】撮像装置およびビューファインダー光学系の前後方向の小型化を図る。【解決手段】ビューファインダー装置１０は、ケース本体１０２の後面１０２Ｂの上部に後方に臨ませて設けられた窓１２と、窓１２の前方におけるケース本体１０２内の箇所に組み込まれ撮像素子１０７で撮像された画像を表示させる表示部１４と、窓１２と表示部１４との間に配置され表示部１４で表示された画像を窓１２に導くビューファインダー光学系１６とを有している。ビューファインダー光学系１６は反射ミラー１６０８を有している。反射ミラー１６０８の左又は右側方に表示部１４が配置され、表示部１４の表示面１４０２は、ケース本体１０２の左右方向に延在する仮想線と直交する面上を延在している。【選択図】図８
2006186528.tif 000002
【特許請求の範囲】
【請求項１】
外装を構成し前後方向の長さと上下方向の高さと左右方向の幅を有するケース本体と、
前記ケース本体が前方に臨む箇所に設けられた撮影光学系と、
前記ケース本体内部に組み込まれ前記撮影光学系によって導かれた被写体像を撮像する撮像素子と、
前記撮像素子で撮像された画像を視認するためのビューファインダー装置とを備え、
前記ビューファインダー装置は、
前記ケース本体の後部に設けられた窓と、
前記窓の前方におけるケース本体内の箇所に組み込まれ前記画像を表示させる表示部と、
前記窓と前記表示部との間に配置され前記表示部で表示された画像を前記窓に導くビューファインダー光学系とを有し、
前記ビューファインダー光学系は、前記表示部に表示された画像を拡大する対物レンズを含む複数の光学部品が前記窓の前方で前後方向に並べられて構成され、
前記表示部は、前記前後方向に並べられた複数の光学部品の左又は右側方に配置されている、
ことを特徴とする撮像装置。
【請求項２】
前記表示部は前記画像が表示される表示面を含んで構成され、前記表示面は、前記ケース本体の左右方向に延在する仮想線と直交する面上を延在していることを特徴とする請求項１記載の撮像装置。
【請求項３】
前記複数の光学部品のうちの一つは前記表示部に表示された画像を後方に向けて反射する反射ミラーであり、前記表示部は前記反射ミラーの左又は右側方に配置されていることを特徴とする請求項１記載の撮像装置。
【請求項４】
前記複数の光学部品のうちの一つは前記表示部に表示された画像を後方に向けて反射する反射ミラーであり、前記反射ミラーは、前後方向に並べられた複数の光学部品のうち最も前方に位置し、前記表示部は前記反射ミラーの左又は右側方に配置されていることを特徴とする請求項１記載の撮像装置。
【請求項５】
前記複数の光学部品のうちの一つは前記表示部に表示された画像を後方に向けて反射する反射ミラーであり、前記反射ミラーは、前後方向に並べられた複数の光学部品のうち最も前方に位置し、前記反射ミラーはその反射面を上下方向に延在させかつ前後方向に対して４５度の角度を持って交差するように配置され、前記表示部は前記反射ミラーの左又は右側方に配置されていることを特徴とする請求項１記載の撮像装置。
【請求項６】
前記窓は前記ケース本体の上部に設けられ、前記ケース本体の上部の内部には前記撮影光学系、前記撮像素子、前記ビューファインダー光学系が前後方向に並べて配置されていることを特徴とする請求項１記載の撮像装置。
【請求項７】
前記ビューファインダー装置は、前記ケース本体の後部に組み込まれた鏡筒を有し、前記窓は前記鏡筒の後部に形成され、前記鏡筒は前記窓から前方に延在する第１光路と、前記第１光路の前端から直角に折れ曲がり左又は右側方に延在する第２光路とを有し、前記複数の光学部品は前記第１光路に配設され、それら複数の光学部品のうち最も前方に位置する光学部品は反射ミラーであり、前記反射ミラーは前記第１光路と第２光路とが交差する部分に、前記第１光路および第２光路に対して４５度の角度を持って配置され、前記第２光路が前記鏡筒に開口する部分に前記表示部が取着されていることを特徴とする請求項１記載の撮像装置。
【請求項８】
前記表示部は前記画像が表示される表示面を含んで構成され、前記ビューファインダー装置は、前記ケース本体の後部に組み込まれた鏡筒を有し、前記窓は前記鏡筒の後部に形成され、前記鏡筒は前記窓から前方に延在する第１光路と、前記第１光路の前端から直角に折れ曲がり左又は右側方に延在する第２光路とを有し、前記複数の光学部品は前記第１光路に配設され、それら複数の光学部品のうち最も前方に位置する光学部品は反射ミラーであり、前記反射ミラーは前記第１光路と第２光路とが交差する部分に、前記第１光路および第２光路に対して４５度の角度を持って配置され、前記第２光路が前記鏡筒に開口する部分に前記表示部が取着され、前記表示面は、前記ケース本体の左右方向に延在する仮想線と直交する面上を延在し前記開口内に臨んでいることを特徴とする請求項１記載の撮像装置。
【請求項９】
前記ケース本体の上面で前記ビューファインダー光学系および前記表示部の上方における箇所に、アクセサリーのアクセサリー側コネクタが装脱可能に装着される電子機器側コネクタが設けられていることを特徴とする請求項１記載の撮像装置。
【請求項１０】
前記ケース本体の上面で前記ビューファインダー光学系および前記表示部の上方における箇所に収容凹部が設けられ、前記収容凹部に、アクセサリーのアクセサリー側コネクタが装脱可能に装着される電子機器側コネクタが設けられ、前記収容凹部を開閉する蓋体が設けられていることを特徴とする請求項１記載の撮像装置。
【発明の詳細な説明】
【技術分野】
【０００１】
本発明はビューファインダー装置を有する撮像装置に関する。
【背景技術】
【０００２】
ビデオカメラなどの撮像装置として、外装を構成するケース本体と、ケース本体が前方に臨む箇所に設けられた撮影光学系と、ケース本体内部に組み込まれ撮影光学系によって導かれた被写体像を撮像する撮像素子と、撮像素子で撮像された画像を視認するためのビューファインダー装置とを備えたものがある（特許文献１参照）。
【特許文献１】特開平１１−２５８６５８号公報
【発明の開示】
【発明が解決しようとする課題】
【０００３】
この種の従来の撮像装置のビューファインダー装置は、ケース本体に設けられた窓と、窓の前方で画像を表示する表示部と、表示部で表示された画像を窓に導くビューファインダー光学系とが、ケース本体の前後方向に沿って一直線上に並べられて配置されている。
したがって、従来の撮像装置では、ビューファインダー光学系によってケース本体内の前後方向におけるスペースが大きく占有されてしまうため、ケース本体内における各種部材の配置の自由度を確保することが難しく、撮像装置の前後方向の小型化を図る上で不利があった。
特に、ビューファインダー光学系が液晶表示面に表示された画像を拡大する対物レンズを含んで構成されている場合、光路長を大きく確保する必要があり、そのため、ビューファインダー光学系の前後方向の寸法を短縮する上で限界があり、撮像装置の前後方向の小型化を図る上で不利があった。
また、近年、ビデオカメラなどの撮像装置では、携帯時の利便性を高めるため、ユーザからは特に前後方向の小型化が要望されており、何らかの改善が望まれていた。
本発明はこのような事情に鑑みなされたものであり、その目的は、ケース本体内における各種部材の配置の自由度を確保でき前後方向の小型化を図る上で有利な撮像装置を提供することにある。
【課題を解決するための手段】
【０００４】
上述の目的を達成するため、本発明は、外装を構成し前後方向の長さと上下方向の高さと左右方向の幅を有するケース本体と、前記ケース本体が前方に臨む箇所に設けられた撮影光学系と、前記ケース本体内部に組み込まれ前記撮影光学系によって導かれた被写体像を撮像する撮像素子と、前記撮像素子で撮像された画像を視認するためのビューファインダー装置とを備え、前記ビューファインダー装置は、前記ケース本体の後部に設けられた窓と、前記窓の前方におけるケース本体内の箇所に組み込まれ前記画像を表示させる表示部と、前記窓と前記表示部との間に配置され前記表示部で表示された画像を前記窓に導くビューファインダー光学系とを有し、前記ビューファインダー光学系は、前記表示部に表示された画像を拡大する対物レンズを含む複数の光学部品が前記窓の前方で前後方向に並べられて構成され、前記表示部は、前記前後方向に並べられた複数の光学部品の左又は右側方に配置されていることを特徴とする。
【発明の効果】
【０００５】
そのため、本発明によれば、ビューファインダー光学系は、表示部に表示された画像を拡大する対物レンズを含んで構成されており、ビューファインダー光学系の光路長を確保する必要があるものの、表示部が、前後方向に並べられたビューファインダー光学系の複数の光学部品の左又は右側方に配置されているので、光路長が左右方向にも確保され、ビューファインダー光学系の前後方向の寸法を短縮でき、撮像装置の前後方向の小型化を図ることが可能となる。
【発明を実施するための最良の形態】
【０００６】
撮像素子で撮像された画像を表示する表示部を、前後方向に並べられたビューファインダー光学系の複数の光学部品の左右側方に配置することによって上記目的を実現した。
【実施例１】
【０００７】
次に本発明の実施例１について図面を参照して説明する。
本実施例では電子機器はビデオカメラ１００である。
図１は実施例１のビデオカメラ１００を前方から見た斜視図、図２はディスプレイ装置が開かれた状態でビデオカメラ１００を後方から見た斜視図である。
図３は撮像装置１００を上方から見た場合の部材の配置を説明する図である。
図４はビューファインダー装置の斜視図、図５は図４のＡ矢視図、図６は図４のＢ矢視図、図７は図４のＣ矢視図、図８は図５のＡＡ線断面図、図９は図７のＢＢ線断面図である。
【０００８】
図１乃至図３に示すように、本実施例において撮像装置はビデオカメラ１００であり、ビデオカメラ１００は、外装を構成するケース本体１０２と、ケース本体が前方に臨む箇所に設けられた撮影光学系１０４と、ケース本体１０２内部に組み込まれ撮影光学系１０４によって導かれた被写体像を撮像する撮像素子１０７と、撮像素子１０７で撮像された画像を視認するためのビューファインダー装置１０とを備えている。
なお、本明細書において左右は、ビデオカメラ１００を前方から見た状態でいうものとし、また、撮影光学系の光軸方向で被写体側を前方といい、撮像素子側を後方という。
ケース本体１０２は、左右方向の幅と、この幅よりも大きな寸法の上下方向の高さと、この高さよりも大きな寸法の前後方向の長さとを有している。
ケース本体１０２は、前方および後方に臨む前面１０２Ａおよび後面１０２Ｂと、上方および下方に臨む上面１０２Ｃおよび下面１０２Ｄと、左方および右方に臨む左側面１０２Ｅおよび右側面１０２Ｆとを有している。
ケース本体１０２の後面１０２Ｂ、上面１０２Ｃ、左側面１０２Ｅには、撮影スタートストップスイッチなどの操作スイッチ１０３Ａや種々の設定を行うための設定スイッチ１０３Ｂが設けられている。
図１に示すように、ケース本体１０２の上面１０２Ｃの後部寄り箇所には電子機器側コネクタ１５０が設けられている。電子機器側コネクタ１５０は、アクセサリー２００への電源の供給や信号の授受を電子機器（ビデオカメラ１００）との間でアクセサリー側コネクタ２１０を介して行うためのものである。
電子機器側コネクタ１５０には、照明装置などのアクセサリー２００に設けられたアクセサリー側コネクタ２１０が装脱可能に装着されるようになっている。
電子機器側コネクタ１５０は、上面１０２Ｃに対してケース本体１０２の内方に窪む収容凹部１６０に収容されており、収容凹部１６０は蓋体１６２により開閉されるように構成されている。
ケース本体１０２内の上部には前方に臨むように鏡筒１０６が配置され、撮影光学系１０４は鏡筒１０６内に配置され、撮像素子１０７は鏡筒１０６内の後端に配置されている。
ケース本体１０２内の左側部には、撮像素子１０７で撮像された被写体像の静止画および動画のデータを記録媒体に記録再生する記録再生部１０８などが配置されている。
ケース本体１０２の右側面１０２Ｆには撮像素子１０７によって撮像された被写体像などを表示するためのディスプレイ装置１１０が開閉可能に設けられている。
【０００９】
図３乃至図９に示すように、ビューファインダー装置１０は、ケース本体１０２の後面１０２Ｂの上部に後方に臨ませて設けられた窓１２と、窓１２の前方におけるケース本体１０２内の箇所に組み込まれ撮像素子１０７で撮像された画像を表示させる表示部１４と、窓１２と表示部１４との間に配置され表示部１４で表示された画像を窓１２に導くビューファインダー光学系１６とを有している。
表示部１４は前記画像が表示される表示面１４０２を含んで構成されている。
【００１０】
ビューファインダー装置１０は、鏡筒１１を有している。
鏡筒１１は、窓１２から前方に延在する第１光路１１０２と、第１光路１１０２の前端から直角に折れ曲がり右側方に延在する第２光路１１０４とを有している。
ビューファインダー光学系１６を構成する複数の光学部品は鏡筒１１内の第１光路１１０２に収容されている。
それら光学部品は、例えば、窓１２の内側に設けられた透明材料からなるカバー１６０２、第１対物レンズ１６０４、第２対物レンズ１６０６、反射ミラー１６０８である。第１対物レンズ１６０４は、視度調整が行えるように、光軸方向（前後方向）に移動可能に配置されている。
これらカバー１６０２、第１対物レンズ１６０４、第２対物レンズ１６０６、反射ミラー１６０８は、窓１２の前方に前後方向に直線状に並べて配置されている。
したがって、撮影光学系１０４、撮像素子１０７、ビューファインダー光学系１６は、ケース本体１０２の上部の内部に前後方向に直線状に並べて配置されている。
【００１１】
反射ミラー１６０８は、表示部１４の表示面１４０２に表示された画像を後方に向けて反射するものであり、反射ミラー１６０８は、窓１２の前方に前後方向に直線状に並べられた複数の光学部品のうち最も前方に位置している。本実施例では、第１光路１１０２と第２光路１１０４とが交差する部分に配置されている。
反射ミラー１６０８はその反射面１６０８Ａを上下方向に延在させかつ前後方向に対して４５度の角度を持って交差するように配置されている。なお、反射ミラー１６０８は、例えば、平坦なガラス板に金属膜が形成されているもの、あるいは、プリズムの面で構成されているものなど従来公知の様々な構成が採用可能である。
【００１２】
表示部１４は反射ミラー１６０８の右側方に配置されている。
表示部１４は、撮像素子１０７で撮像された画像を形成する液晶表示器１４０４と、液晶表示器１４０４の前面に設けられた表示面１４０２と、液晶表示器１４０４の背面から照明光を照射することで前記形成された画像を表示面１４０２に表示させる照明装置１４０６とを備えている。
表示面１４０２は、ケース本体１０２の左右方向に延在する仮想線と直交する面上を延在するように配置されている。
表示部１４は、鏡筒１１の第２光路１１０４の開口１１０６を閉塞するように鏡筒１１に取着されて配置され、表示面１４０２が第２光路１１０４に臨んでいる。
したがって、撮像素子１０７で撮像された画像が表示面１４０２に表示されると、この画像は反射ミラー１６０８、第２対物レンズ１６０６、第１対物レンズ１６０４、カバー１６０２を経て窓１２内で視認される。
なお、図１に示すように、上述した収容凹部１６０、電子機器側コネクタ１５０、蓋体１６２は、ケース本体１０２の上面でビューファインダー光学系１６および表示部１４の上方における箇所に配置されている。
【００１３】
本実施例によれば、ビューファインダー光学系１６は、表示面１４０２に表示された画像を拡大する第１、第２対物レンズ１６０４，１６０６を含んで構成されており、ビューファインダー光学系１６の光路長を確保する必要があるものの、前後方向に並べられたビューファインダー光学系１６の構成部品の左又は右側方に表示部１４が配置され、光路長が左右方向にも確保されるので、ビューファインダー光学系１６の光路およびビューファインダー光学系１６の前後方向の寸法を短縮でき、ケース本体１０２内における各種部材の配置の自由度を確保でき、ビデオカメラ１００の前後方向の小型化を図ることが可能となる。
また、本実施例では、反射ミラー１６０８は、ビューファインダー光学系１７を構成する複数の光学部品のうちの最も前方に配置され、この反射ミラー１６０８の右側方に表示部１４が配置されているので、窓１２と反射ミラー１６０８との間で光路長を前後方向に確保し、かつ、反射ミラー１６０８と表示面１４０２との間で光路長を左右方向に確保し、これにより、ビューファインダー光学系１６の必要最小限の光路長を確保でき、したがって、ケース本体１０２内における各種部材の配置の自由度を確保でき、ビューファインダー光学系１６の前後方向の寸法を短縮でき、ビデオカメラ１００の前後方向の小型化を図ることが可能となる。
また、本実施例では、表示部１４を、前後方向に並べられたビューファインダー光学系１６の構成部品の上方ではなく左又は右側方に設けたので、ビューファンダー光学系１６の上方箇所に、例えば、電子機器側コネクター１５０などの部材を、収容凹部１６０や蓋体１６２を用いて配置することができ、各種部材の配置の自由度を確保する上で有利となる。
【００１４】
なお、実施例では、撮像装置がビデオカメラである場合について説明したが、本発明の電子機器はこれに限定されるものではなく、種々の電子機器、例えばカメラ付パーソナルデジタルアスタント（ＰＤＡ）、カメラ付携帯電話機、あるいは種々の撮像装置、例えばデジタルスチルカメラなどであってもよいことはもちろんである。
【図面の簡単な説明】
【００１５】
【図１】実施例１のビデオカメラ１００を前方から見た斜視図である。
【図２】ディスプレイ装置が開かれた状態でビデオカメラ１００を後方から見た斜視図である。
【図３】撮像装置１００を上方から見た場合の部材の配置を説明する図である。
【図４】ビューファインダー装置の斜視図である。
【図５】図４のＡ矢視図である。
【図６】図６は図４のＢ矢視図である。
【図７】図７は図４のＣ矢視図である。
【図８】図８は図５のＡＡ線断面図である。
【図９】図９は図７のＢＢ線断面図である。
【符号の説明】
【００１６】
１０……ビューファインダー装置、１２……窓、１４……表示部、１４０２……表示面、１６……ビューファインダー光学系、１６０４……第１対物レンズ、１６０６……第２対物レンズ、１００……ビデオカメラ、１０２……ケース本体、１０４……撮影光学系、１０７……撮像素子。
【図１】
2006186528.tif 000003
【図２】
2006186528.tif 000004
【図３】
2006186528.tif 000005
【図４】
2006186528.tif 000006
【図５】
2006186528.tif 000007
【図６】
2006186528.tif 000008
【図７】
2006186528.tif 000009
【図８】
2006186528.tif 000010
【図９】
2006186528.tif 000011